(57)【要約】【課題】  クリアホルダに複数の綴じ穴を開けてクリアファイルの綴じ具を用いて綴じるもので、本発明のように係止してファイルの落下を防止するような機能・効果は有していない。【解決手段】  シート状のファイル本体の内面折曲部付近に、摩止部を設けてなることを特徴とする摩止ファイル。【選択図】図１
2011063008.tif 000002
【特許請求の範囲】
【請求項１】
シート状のファイル本体の内面折曲部付近に、摩止部を設けてなることを特徴とする摩止ファイル。
【請求項２】
摩止部を、少なくとも２箇所設けてなることを特徴とする請求項１記載の摩止ファイル。
【請求項３】
平板状のバインダー本体の内面折曲部近傍位置に、上記摩止ファイル端部の下面を係止する係止部を、上記摩止ファイル端部上面を押圧する押圧板を設けてなる挟持具を具備してなることを特徴とする係止バインダー。
【請求項４】
挟持具が、係止部と押圧板とを一体に形設してなることを特徴とする請求項３記載の係止バインダー。
【請求項５】
押圧板を、少なくとも２箇所設けてなることを特徴とする請求項３又は４記載の係止バインダー。
【請求項６】
上記摩止ファイルと上記係止バインダーとからなる摩止ファイル付係止バインダー。
【請求項７】
摩止ファイルを係止バインダーに水平に移動した後、上あるいは下方向に移動させ取り付けることを特徴とする請求項６記載の摩止ファイル付係止バインダー。
【発明の詳細な説明】
【技術分野】
【０００１】  本発明は、書類等が摩れ落ちない摩止ファイルと、摩止ファイルを係止する係止バインダーとこれらをセットした摩止ファイル付係止バインダーに関するものである。
【背景技術】
【０００２】  従来の技術として、ユニット背綴じ具とバインダとを備え、各背綴じ具は、外面に少なくとも一つの立ち上がりタブを有し、その中に小冊子を取り外し可能に保持する。バインダは、その中にユニット背綴じ具を取り外し可能に取付け、長手方向に延びる複数の溝部を有する。溝部は、互いに隔てられて平行であり、ユニット背綴じ具をバインダ内に取り付けおよび取り外しする際に、このユニット背綴じ具上の立ち上がりタブを横に（ｌａｔｅｒａｌｌｙ）受け入れるように形成されたリッジを備えているものがある。（特許文献１参照）【０００３】  また、別の従来技術として、概長方形の上面シートと下面シートとを重ね合わせて３辺を接合し、１辺を開口させて開口部を設けたクリアホルダであって、前記上面シート及び前記下面シートの内面の前記開口部付近にある前記開口部の開閉を自在とすることを特徴とするクリアホルダ。（特許文献２参照）
【先行技術文献】
【特許文献】
【０００４】
【特許文献１】  特開平０７−１４９０９０号  公報
【特許文献２】  実用新案登録第３１３９１１８号  公報
【発明の概要】
【発明が解決しようとする課題】
【０００５】  上記前者においては、ユニット背綴じ具に摩り止め等の機能を有していない。
また、上記後者においては、クリアホルダに複数の綴じ穴を開けてクリアファイルの綴じ具を用いて綴じるもので、本発明のように係止してファイルの落下を防止するような機能・効果は有していない。【０００６】  本発明は、上記の問題点を解決しようとするもので、ファイル本体に摩止部を設けることにより、挟み込んだ書類が落下することなく使用できると共に、係止バインダーにより摩止ファイルを差し込むことにより書類等を落下させることなく持ち運びでき、かつ、差し替えも簡単に行える摩止ファイル及び係止バインダー並びに摩止ファイル付係止バインダーを提供することを目的とするものである。
【課題を解決するための手段】
【０００７】  本発明は、上記目的を達成するため、シート状のファイル本体の内面折曲部付近に、摩止部を設けてなること。摩止部を、少なくとも２箇所設けてなること。平板状のバインダー本体の内面折曲部近傍位置に、上記摩止ファイル端し部の下面を係止する係止部を、上記ぶ摩止ファイル端部上面を押圧する押圧板を設けてなる挟持具を具備してなること。挟持具が、係止部と押圧板とを一体に形設してなること。係止部を、少なくとも２箇所設けてなること。摩止ファイルと係止バインダーとからなり、摩止ファイルを係止バインダーに水平に移動した後、上あるいは下方向に移動させ取り付けることを特徴とする摩止ファイル付係止バインダー。
【発明の効果】
【０００８】１）、摩止ファイルは、ファイル本体内面に摩止部を設けることにより、書類等を挟んだ時、摩止部の摩擦力により落下を防止できるものである。
２）、係止バインダーは、係止部と押圧板による挟持具を具備することにより、特に摩止ファイルを挟持し、逆さに持ち歩いても落下しないものである。
３）、摩止ファイルと係止バインダーの組み合わせによる摩止ファイル付係止バインダーは、取り付けが楽でしかも書類等が落下せず、かつ、書類が取り出し易いものである。
４）、摩止部及び押圧板を少なくとも、２箇所設けることにより、摩止部を押圧板よりずらせ摩止ファイルを差し込み上（下）方向に移動させることにより、厚みのある摩止ファイルも容易に取り付けることができる。
【図面の簡単な説明】
【０００９】
【図１】  本発明の摩止ファイルの正面図。
【図２】  本発明の摩止ファイルの底面図。
【図３】  本発明の摩止ファイルを折り曲げた状態の底面図。
【図４】  本発明の係止バインダーの正面図。
【図５】  本発明の係止バインダーの底面図。
【図６】  本発明の摩止ファイルに書類を差し込んだ状態の底面図。
【図７】  本発明の摩止ファイル付係止バインダーの取付状態の底面図。
【図８】  本発明の摩止ファイル付係止バインダーの使用状態の底面図。
【図９】  本発明の摩止ファイル付係止バインダーの取付け方法の第一取付図。
【図１０】  本発明の摩止ファイル付係止バインダーの取付け方法の第二取付図。
【図１１】  本発明の摩止ファイル付係止バインダーの取付け方法の第三取付図。
【発明を実施するための形態】
【００１０】  摩止ファイル１は、合成樹脂製で、シート状（Ａ３型）のファイル本体２の内面折曲部２ａの上下２箇所に、メッシュ状で１〜２ｍｍの厚みを有する発泡ウレタン等による摩止部３を設けてある。（図１・図２）
【００１１】  なお、摩止ファイル１は、内面折曲部２ａを中心にして内側に折曲することにより、摩止部３間に書類等を挟むものである。（図３）
【００１２】  係止バインダー２１は、平板状（Ａ３型）のバインダー本体２２の内面折曲部２２ａの近傍位置（側面）に、上記摩止ファイル１端部の下面を係止する略への字形板状の係止部２３ａを、上記摩止ファイル１端部の上面を押圧する略Ｊ型板状の押圧板２３ｂを上下２箇所一体に形設してなる挟持具２３を具備してなるものであり、バネ力Ｂを有するものである。（図４・図５）
【００１３】  摩止ファイル１の使用例について下記に説明する。
まず、摩止ファイル１は内側に折曲した状態で内側に書類Ｓを差し込み摩止部３にて挟持することにより落下しないものである。（図６）
【００１４】  摩止ファイル１と係止バインダー２１とからなる摩止ファイル付係止バインダー３１について説明する。
摩止ファイル付係止バインダー３１は、係止バインダー２１の挟持具２３に摩止ファイル１（図６の状態）を差し込むことにより係止部２３ａにて摩止ファイル１の端部下面を係止すると共に、押圧板２３ｂにて摩止ファイル１の端部上面を押圧することにより、摩止ファイル１の摩止部３が内側に押圧され、強固に書類Ｓを保持することができる。（図７）
特に、摩止ファイル付係止バインダー３１を逆さにしても書類Ｓは落下することなく持ち運びできるものである。（図８）
また、摩止ファイル１が厚くなった場合は、摩止ファイル付係止バインダー４１のように、係止バインダー２１の押圧板２３ｂに対して摩止ファイル１の摩止部３を少し下方（上方）にずらせて差し込み、上方（下方）へ移動させることにより摩止部３が押圧板２３ｂの下方に入り込み、確実に押圧固定することができるもので、女性の力でも容易に取り付けできるものである。（図９・図１０・図１１）
【００１５】  上記各実施例において、各部位の材質や大きさは特に限定するものではない。
なお、特に挟持具の材質はバネ力のあるものが望ましい。
また、摩止部は摩り止め機能を有すれば、特に限定しない。
さらに、押圧板の先端を係止する係止溝をファイル本体の設けてもよい。
【符号の説明】
【００１６】１−−−−摩止ファイル
２−−−−ファイル本体
２ａ−−−内面折曲部
３−−−−摩止部
２１−−−摩止ファイル
２２−−−バインダー本体
２３ａ−−係止部
２３ｂ−−押圧板
２３−−−挟持具
Ｓ−−−−書類
３１−−−摩止ファイル付係止バインダー
４１−−−摩止ファイル付係止バインダー
【図１】
2011063008.tif 000003
【図２】
2011063008.tif 000004
【図３】
2011063008.tif 000005
【図４】
2011063008.tif 000006
【図５】
2011063008.tif 000007
【図６】
2011063008.tif 000008
【図７】
2011063008.tif 000009
【図８】
2011063008.tif 000010
【図９】
2011063008.tif 000011
【図１０】
2011063008.tif 000012
【図１１】
2011063008.tif 000013